(57)【要約】【課題】温風ダクトの吹出口に設けられた開閉板を確実に開閉できる衛生洗浄装置及びこれを備えたトイレ装置を提供する。【解決手段】第１の開口部を有する筐体と、前記筐体の中に設けられた吐水ノズルと、前記筐体の中に設けられ、前記第１の開口部に吹出口が向けられた温風吹出ダクトと、前記筐体の中に設けられ、動力を供給する駆動源と、前記第１の開口部を覆い、前記吹出口よりも上方に設けられた回転軸を中心に開閉可能に支持された第１の開閉板と、前記筐体の中に設けられ、前記駆動源から供給される動力を前記回転軸よりも上方において前記第１の開閉板に伝達する伝達機構と、を備え、前記伝達機構の引き動作により前記第１の開閉板が開かれることを特徴とする衛生洗浄装置を提供する。【選択図】  図１
2007321443.tif 000002
【特許請求の範囲】
【請求項１】
第１の開口部を有する筐体と、
前記筐体の中に設けられた吐水ノズルと、
前記筐体の中に設けられ、前記第１の開口部に吹出口が向けられた温風吹出ダクトと、
前記筐体の中に設けられ、動力を供給する駆動源と、
前記第１の開口部を覆い、前記吹出口よりも上方に設けられた回転軸を中心に開閉可能に支持された第１の開閉板と、
前記筐体の中に設けられ、前記駆動源から供給される動力を前記回転軸よりも上方において前記第１の開閉板に伝達する伝達機構と、
を備え、
前記伝達機構の引き動作により前記第１の開閉板が開かれることを特徴とする衛生洗浄装置。
【請求項２】
前記筐体の前面は、後方に湾曲した湾曲凹面を有し、前記第１の開口部は、前記湾曲凹面に設けられたことを特徴とする請求項１記載の衛生洗浄装置。
【請求項３】
前記筐体は、ケースプレートと、前記ケースプレートの上に設けられたケースカバーと、を有し、
前記駆動源は、前記ケースプレートの側に固定され、
前記開閉板は、前記ケースカバーの側に支持されていることを特徴とする請求項１または２に記載の衛生洗浄装置。
【請求項４】
前記ケースカバーに固定され、前記第１の開閉板を開閉可能に支持するフレームをさらに備えたことを特徴とする請求項３記載の衛生洗浄装置。
【請求項５】
前記筐体は、前記吐水ノズルを進退させる第２の開口部をさらに有し、
前記第２の開口部を覆い、前記フレームに開閉可能に支持された第２の開閉板をさらに備えたことを特徴とする請求項４記載の衛生洗浄装置。
【請求項６】
前記第１の開閉板の前記回転軸は、前記引き動作の方向に対して非垂直であり、
前記伝達機構と前記第１の開閉板との結合部に、非対称な部分が設けられたことを特徴とする請求項１〜５のいずれか１つに記載の衛生洗浄装置。
【請求項７】
前記駆動源は、前記吐水ノズルの下に設けられたことを特徴とする請求項１〜６のいずれか１つに記載の衛生洗浄装置。
【請求項８】
腰掛便器と、
前記腰掛便器の上部に設置される請求項１〜７のいずれか１つに記載の衛生洗浄装置と、
を備えたことを特徴とするトイレ装置。
【発明の詳細な説明】
【技術分野】
【０００１】
本発明は、衛生洗浄装置及びトイレ装置に関し、より具体的には、洋式腰掛便器に腰かけた使用者の「おしり」などを水で洗浄する衛生洗浄装置及びこれを備えたトイレ装置に関する。
【背景技術】
【０００２】
衛生洗浄装置は、洗浄水を噴射する吐水ノズルをその内部に進退自在に収容し、腰掛便器の上面後部に設置して使用する形態のものが主流となっている。このような衛生洗浄装置に、温風を吹き出して使用者の「おしり」などを乾燥させる「温風乾燥機能」を設けると、さらに使い勝手がよくなり、トイレットペーパーの使用量を減らすことによる省資源化にも有効である。
【０００３】
従来の多くの衛生洗浄装置においては、温風ダクトの吹出口を横方向に偏平にし、その前に縦幅の小さい開閉板を設け、ダクトから吹き出す温風により開閉板が開く方式が採用されていた（特許文献１）。しかし、温風により開く開閉板のサイズや形状には制限があり、温風ダクトの吹出口の形状によっては、温風により開閉板を十分に開くことが困難な場合もある。特に、ダクトの吹出口すなわち開閉板の縦幅が大きくなると、温風により開閉板を十分に開くことが容易ではない。
【０００４】
一方、温風の開閉板を吐水ノズルの開閉板と兼用し、この開閉板を吐水ノズルの進退動作により開閉する衛生洗浄装置が開示されている（特許文献２）。しかしこの場合、吐水ノズルにより使用者の「おしり」などを洗浄する際にも、開閉板が開き温風ダクトの吹出口が開放した状態となる。従って、洗浄時に水や汚物などが飛散して温風ダクトの吹出口に汚れるという問題がある。
【特許文献１】実開昭６０−１２００８２号公報
【特許文献２】特許第３１４５８１７号公報
【発明の開示】
【発明が解決しようとする課題】
【０００５】
本発明は、温風ダクトの吹出口に設けられた開閉板を確実に開閉できる衛生洗浄装置及びこれを備えたトイレ装置を提供するものである。
【課題を解決するための手段】
【０００６】
本発明の一態様によれば、第１の開口部を有する筐体と、前記筐体の中に設けられた吐水ノズルと、前記筐体の中に設けられ、前記第１の開口部に吹出口が向けられた温風吹出ダクトと、前記筐体の中に設けられ、動力を供給する駆動源と、前記第１の開口部を覆い、前記吹出口よりも上方に設けられた回転軸を中心に開閉可能に支持された第１の開閉板と、前記筐体の中に設けられ、前記駆動源から供給される動力を前記回転軸よりも上方において前記第１の開閉板に伝達する伝達機構と、を備え、前記伝達機構の引き動作により前記第１の開閉板が開かれることを特徴とする衛生洗浄装置が提供される。
【０００７】
また、本発明の他の一態様によれば、腰掛便器と、前記腰掛便器の上部に設置される上記の衛生洗浄装置と、を備えたことを特徴とするトイレ装置が提供される。
【発明の効果】
【０００８】
本発明によれば、温風ダクトの吹出口に設けられた開閉板を確実に開閉できる衛生洗浄装置及びこれを備えたトイレ装置を提供することができる。
【発明を実施するための最良の形態】
【０００９】
以下、図面を参照しつつ本発明の実施の形態について説明する。  
図１は、本実施形態にかかる衛生洗浄装置の一部拡大模式断面図である。すなわち、同図は、衛生洗浄装置の本体部を縦に切断した断面図である。  
本実施形態の衛生洗浄装置の本体部４００には、便座に座った状態の使用者の「おしり」などを乾燥させるための温風を吹き出す温風ダクト６２１が設けられている。本体部４００には、開口（第１の開口部）４０２Ａが設けられ、温風ダクト６２１の吹出口６２２は、この開口４０２Ａに向けられている。そして、開口４０２Ａには、温風ダンパー（第１の開閉板）４７０が開閉自在に支持されている。温風ダンパー４７０は、モータ（駆動源）４７２から第１レバー４７３及び第２レバー４７４（伝達機構）を介して伝達される駆動力により開閉される。すなわち、図１（ａ）に表したように閉じた状態からモータ４７２が矢印Ａの方向に回転すると、この駆動力が第１レバー４７３を介して第２レバー４７４に伝達され、矢印Ｂの方向に引かれる。このような引き動作により、温風ダンパー４７０は矢印Ｃの方向に回転し、図１（ｂ）に表したように開いた状態となる。温風ダンパー４７０を閉じる際には、モータ４７２を矢印Ａとは逆の方向に回転させればよい。
【００１０】
本実施形態によれば、このように温風ダンパー４７０を電動開閉式とすることにより、温風吹出口の形状や大きさによらず、常に確実かつ円滑に開閉させることができる。  
以下、温風ダンパー４７０の開閉機構を詳細に説明する前に、トイレ装置及び衛生洗浄装置の全体的な構成について説明する。
【００１１】
図２は、本発明の実施の形態にかかるトイレ装置の外観を表す模式斜視図である。  
また、図３は、このトイレ装置の便座２００と便蓋３００を開いた状態を表す。    
また、図４は、その本体部４００の中央部を正面から眺めた模式図である。
【００１２】
本実施形態のトイレ装置は、洋式腰掛便器８００と、その上に設けられた衛生洗浄装置１００と、を備える。衛生洗浄装置１００は、本体部４００と、便座２００と、便蓋３００と、を有する。便座２００と便蓋３００は、本体部４００に対して開閉自在にそれぞれ軸支されている。
【００１３】
本体部４００には、衛生洗浄を実現するための衛生洗浄機能部が内蔵されている。すなわち、着座センサ４２０により使用者が便座２００に座ったことを検知し、使用者のスイッチ操作などに応じて本体部４００から吐水ノズル（図示せず）を便器８００のボウル内に進出させ、その先端付近に設けられた吐水口から水を噴射して、便座に座った使用者の「おしり」などを洗浄可能とされている。なお、本願明細書において「水」という場合には、冷水のみならず、加熱されたお湯も含むものとする。  
また、本体部４００には、便座２００に座った状態の使用者の「おしり」などに向けて温風を吹き付けて乾燥させる「温風乾燥ユニット」が設けられている。
【００１４】
またさらに、本体部４００には、「脱臭ユニット」や「室内暖房ユニット」などの各種の機構が適宜設けられ、その側面には、脱臭ユニットからの排気口４４０及び室内暖房ユニットからの排出口４５０が適宜設けられている。また、使用者の接近を検知して便蓋３００を自動的に開き、使用者がいなくなると便蓋３００を自動的に閉じる「オート開閉機能」を設けることもできる。またさらに、便器８００に洗浄水を流す「自動水洗機能」を、衛生洗浄装置１００に付加してもよい。これは、ロータンクやフラッシュバルブの排水機構を動作させる駆動機構を設け、この駆動機構を動作させる信号を本体部４００から出力して、便器８００に自動的に洗浄水を流す機能である。
【００１５】
これらの機能は、本体部４００に設けられた操作部（図示せず）を適宜操作することにより実行・設定でき、また、トイレの壁面などに設置されたリモコン（図示せず）を操作することにより実行させることも可能である。また、本体部４００の上面に凹設部４１０が形成され、この凹設部４１０に一部が埋め込まれるように人体検知センサ５００が設けられている。人体検知センサ５００は、便蓋３００が閉じた状態においては、その基部付近に設けられた透過窓３１０を介して使用者の存在を検知する。
【００１６】
本具体例においては、図３に表したように、本体部４００が、便器８００のボウル８１０の開口端に合わせて後退した形状を有する。すなわち、本体部４００は、便器８００の上部後方に設置され、その前面が、便器８００のボウル８１０の開口端の形状に沿ってボウル８１０の開口端よりもボウル８１０の側にわずかに突出するように凹状に湾曲した湾曲凹面４０２とされている。なおここで、「後方」とは、図２に表したように、通常はロータンクやフラッシュバルブなどが設置される側であり、通常の使用態様において使用者からみて遠い側を意味する。
【００１７】
湾曲凹面４０２の左右には、ボウル８１０の開口端に沿って前方に向けて延出した延出部４０４が設けられている。湾曲凹面４０２は、その中央付近が高く、左右の延出部４０４に近づくにしたがって次第に低くなる形状を有する。
【００１８】
湾曲凹面４０２の中央付近の高い部分には、吐水ノズルを進出及び後退させる開口（第２の開口部）４０２Ｂ及びその開口４０２Ｂを覆う閉止部材としてのノズルダンパー（第２の開閉板）４６０が設けられ、その右側の開口４０２Ａには温風ダンパー（第１の開閉板）４７０が設けられている。
【００１９】
図５は、ノズルダンパー４６０及び温風ダンパー４７０の開閉状態を表す模式図である。  これらのダンパー４６０、４７０は、いずれも開閉自在に支持され、待機状態においては、図５（ａ）に表したように、いずれも閉じられた状態とされる。そして、便座２００に座った使用者の「おしり」などを洗浄するために吐水ノズルが進出すると、図５（ｂ）に表したように、ノズルダンパー４６０が開く。また、温風乾燥ユニット６２０から使用者の「おしり」などに向けて温風を吹き付ける際には、図５（ｃ）に表したように、温風ダンパー４７０が開く。図１に表した断面構造は、温風ダンパー４７０の位置で本体部４００を切断したものである。
【００２０】
そして、本実施形態によれば、図１に関して前述したように、この温風ダンパー４７０を電動開閉式とすることにより、温風吹出口の形状や大きさによらず、常に確実かつ円滑に開閉させることができる。以下、温風ダンパー４７０の開閉機構についてさらに詳細に説明する。
【００２１】
図６は、温風ダンパー４７０の駆動機構を表す斜視組立図である。  
また、図７は、温風ダンパー４７０及びモータ４７２の取付部を表す模式図である。
【００２２】
図１に表したように、本体部４００は、筐体を構成するケースカバー４３０とケースプレート７７０とを有する。そして、温風ダンパー４７０の背後には温風乾燥ユニット６２０の吹出口６２２が配設されている。温風乾燥ユニットは、ファン及びヒータを内蔵し、吹出口６２２から使用者の「おしり」に向けて温風を吹き出す。
【００２３】
温風ダンパー４７０は、図７に表したようにノズルダンパー４６０とともにフレーム４８０に回動自在に支持され、このフレーム４８０がケースカバー４３０に取り付けられている。温風ダンパー４７０の回動運動の回転軸は、吹出口６２２よりも上方、すなわち温風ダンパー４７０の高さ方向の中心よりもやや上部に設けられている。一方、温風ダンパー４７０の背後には、モータ４７２が収容されている。モータ４７２は、取付台４９０を介してケースプレート７７０に固定されている。後に詳述するように、モータ４７２としては、例えばステッピングモータを用いることができ、本具体例においては、吐水ノズルの下に配置されている。モータ４７２の回転軸には、第１レバー４７３が結合されている。第１レバー４７３は、モータ４７２の回転動作に応じて所定の範囲で回動する。第１レバー４７３の先端には、第２レバー４７４が結合されている。第２レバー４７４の先端には保持部４７５が設けられている。保持部４７５は、温風ダンパー４７０の上部背面側に設けられたリンク軸４７６に結合されている。
【００２４】
図１（ａ）に表したように、温風ダンパー４７０が閉じた状態から、モータ４７２が矢印Ａの方向に回転すると、第２レバー４７４が矢印Ｂの方向に引っ張られる。この引っ張り力は、温風ダンパー４７０のリンク軸４７６に伝達され、温風ダンパー４７０が矢印Ｃで表した方向に回動して開く。図１（ｂ）は、温風ダンパー４７０が完全に開いた状態を表す。この状態において、温風ユニット６２０の吹出口６２２から吹き出した温風は、温風ダンパー４７０に遮られることなく、便座に座った使用者の「おしり」に確実にあてることができる。なお、図６は組立途中の状態を表し、組立が終了した後は、図６に表したように第１レバー４７３がほぼ正立した状態では温風ダンパー４７０は閉じた状態となる。
【００２５】
ここで、本体部４００のケースカバー４３０の前方の上面には傾斜面４０８が設けられているが、便座２００（図１及び図２参照）を閉じた状態においては、便座２００の下面が傾斜面４０８に隣接する。温風ダンパー４７０が開いた時に、その先端が便座２００の下面に当接すると、異音や傷つきなどが生ずる点で好ましくない。一方で、温風ダンパー４７０は、吹出口６２２から吹き出す温風を妨げることがないように、できるだけ大きく開くことが望ましい。
【００２６】
これに対して、本実施形態によれば、温風ダンパー４７０の回転軸を吹出口６２２よりも上方に設け、さらにその上方に設けたリンク軸４７６で第２レバー４７４に結合することにより、温風ダンパー４７０が開いた時の高さを抑えられ、便座２００に当接することなく、且つ吹出口６２２を遮ることもなく、大きく開かせることができる。
【００２７】
なお、温風ダンパー４７０は、例えば、ポリプロピレンなどの樹脂により形成することができる。また、温風ダンパー４７０は、ステンレスや表面をアルマイト処理したアルミニウムなどにより形成してもよい。一方、フレーム４８０、第１レバー４７３、第２レバー４７４などは、樹脂などにより形成することができる。
【００２８】
またさらに、本実施形態によれば、図４などに表したように、湾曲凹面４０２の中央付近の高い部分に温風ダンパー４７０を設けることにより、使用者の「おしり」などを乾燥する温風の吹出口を好適な形状にできる。  
図８は、温風の吹出口の形状を例示する模式図である。すなわち、同図（ａ）は本実施形態における吹出口６２２を例示し、同図（ｂ）は比較例の吹出口６２２を例示する。
【００２９】
所定の風量の温風を吹き出すためには、吹出口の開口面積は所定の大きさである必要がある。本体部４００の前面の高さが低い場合には、図８（ｂ）に表したように、縦方向の幅が低く横方向に偏平な吹出口を採用せざるを得ない。例えば、図８（ｂ）に例示した比較例の吹出口の場合、その縦方向の幅Ａは１０ミリメータであるのに対して横幅Ｂは４３ミリメータであり、横方向に偏平した開口を有する。
【００３０】
しかし、図３及び図４に関して前述したように本体部４００の前面を後退させて湾曲凹面４０２を形成したことにより、吹出口の位置は、使用者の「おしり」などから遠ざかることとなる。このような場合に図８（ｂ）に表したような偏平な吹出口を用いると、温風が左右方向に拡散してしまい、使用者の「おしり」に十分な風量の温風を届かせることが困難となる。
【００３１】
またさらに、図８（ｂ）に表したように吹出口６２２を偏平にした場合には、その前に設けた温風ダンパーを温風の勢いにより開くことも可能である。これは、温風ダンパーの高さ方向の幅が小さくて済むからである。  
しかし、図８（ａ）に表したように、吹出口６２２の縦方向の寸法Ａが大きくなると、温風ダンパー４７０の高さ方向の幅も大きくなる。すると、温風ダンパー４７０を温風の勢いで開けることが困難になる。
【００３２】
これに対して、本実施形態によれば、図１〜図７に関して前述したように温風ダンパー４７０を電動開閉式とすることにより、高さ方向の幅が大きい温風ダンパー４７０を確実に開閉できる。その結果として、図８（ａ）に表したように、縦方向の幅と横幅とが接近した吹出口６２２を設けることができる。これは、湾曲凹面４０２の中央付近を高くし、この近傍に電動開閉式の温風ダンパー４７０を設けたからである。例えば、図８（ａ）に例示した吹出口の場合、その開口の縦方向の幅Ａを１８ミリメータまで拡大できる。その結果、横方向の幅Ｂを２７ミリメータまで縮小させ、開口寸法の縦横比を１に近づけることができる。このように開口寸法の縦横比を１に近づけることにより、集束した温風を吹き出すことができる。その結果として、使用者の「おしり」からみて後方に遠ざかった湾曲凹面４０２から使用者の「おしり」に集束した温風を届かせることができる。
【００３３】
なお、図８（ｂ）に表した比較例の吹出口の開口面積は約４３０平方ミリメータであるのに対して、図８（ａ）に表した吹出口の開口面積は約４８０ミリメータである。つまり、湾曲凹面４０２の中央付近の背の高い部分にノズルダンパー４６０を設けることにより、吹出口の縦方向の寸法を大きくでき、開口の縦横比を１に近づけつつ開口面積を拡大することも可能となる。  
図９は、吹出口６２２から放出される温風の方向を表す模式図である。  
本実施形態においては、湾曲凹面４０２の中央付近に設けられた温風ダンパー４７０の背後に設けられた吹出口６２２から、図９（ａ）〜（ｃ）に表したように、便座２００に座った使用者の「おしり」の方向に集束した温風Ｈを吹き出すことができる。吹出口６２２が左右（水平）方向に偏平ではなく、開口寸法の縦横比が１に近いので、放出される温風Ｈが左右（水平）方向に拡がらず、集束した温風Ｈを遠くまで届けることができる。また、吹出口６２２の縦寸法を大きくすることにより、温風Ｈを上方に向けることができる。その結果として、便座２００に座った使用者の「おしり」に、十分な風量の温風Ｈを届けることができる。
【００３４】
図１０（ａ）は本実施形態、（ｂ）は比較例の衛生洗浄装置の温風乾燥ユニットから放出される温風Ｈの分布を正面（前方）から眺めた模式図である。
【００３５】
ここで、本実施形態の温風乾燥ユニットは、図８（ａ）に表した吹出口を有し、比較例の温風乾燥ユニットは図８（ｂ）に表した吹出口を有する。ここで、比較例は、図２６に表した形態を有する。また、各図において、便座に座った使用者の「おしり」の中心位置を符号Ｃにより表した。
【００３６】
本実施形態においては、比較例よりも温風Ｈの中心位置を高くすることができる。これは、図８に関して前述したように、湾曲凹面４０２の中央付近の背の高い部分に吹出口６２２を設けることにより、開口の縦方向の寸法を大きくできたからである。  
本具体例（図３参照）においては、比較例（図２９参照）よりも吹出口６２２の位置が後方に遠ざかっているので、比較例の吹出口を本具体例の温風ダンパー４７０の位置に設けたとすると、使用者の「おしり」の位置において、温風Ｈの中心が下がってしまう。これに対して、本具体例の場合、使用者の「おしり」の位置において、比較例と比べて温風Ｈの中心を１５ミリメータほど高くすることができる。このように温風Ｈの中心を高くすることにより、使用者の「おしり」に確実に温風Ｈをあてることができる。
【００３７】
また、比較例においては図１０（ｂ）に表したように温風Ｈが左右（水平）方向に拡がっているのに対して、本具体例においては図１０（ａ）に表したように温風Ｈが左右方向にも拡がらず、集束したままの温風Ｈを使用者の「おしり」の位置まで届けることができる。
【００３８】
その結果として、図１０（ｂ）に表した比較例よりも図１０（ａ）に表した本具体例においては、集束させ温度の低下を抑制した温風Ｈを遠くの使用者の「おしり」に確実に届けることができる。つまり、本実施形態によれば、図４などに表したように、湾曲凹面４０２の中央付近を高くし、この高い部分に電動開閉式の温風ダンパー４７０を設けることにより、温風ダンパー４７０を確実に開閉可能としつつ、温風の吹出口６２２の縦方向の寸法を拡大し縦横比を１に近づけて、集束した温風Ｈを遠くまで届けることができる。
【００３９】
以下、本具体例の温風ダンパー４７０の開閉機構について、その組立手順を参照しつつさらに詳細に説明する。  
図１１乃至図１５は、温風ダンパー４７０の開閉機構の組立手順を例示する模式図である。
【００４０】
まず、図１１（ａ）に表したように、モータ４７２の回転軸に第１レバー４７３を圧入する。そして、図１１（ｂ）に表したように、第１レバー４７３の側から取付台４９０に差し込み、ねじ４９１でモータ４７２を固定する。
【００４１】
次に、図１２（ａ）に表したように、ケースプレート７７０の収容部７７０Ｄにモータ４７２を取り付ける。そして、図１２（ｂ）に表したように、温風ダンパー４７０と結合した第２レバー４７４の基端部を第１レバー４７３に差し込む。
【００４２】
その後、ケースプレート７７０の上には、ノズルユニットやその他各種の要素を取り付ける。ケースプレート７７０の上の部品の組立が終了した後に、図１３に表したように、ケースカバー４３０をケースプレート７７０に取り付ける。この際に、ケースカバー４３０に固定したフレーム４８０に温風ダンパー４７０を取り付ける。
【００４３】
図１４及び図１５は、温風ダンパー４７０をフレーム４８０に取り付ける様子を表す模式断面図である。  
温風ダンパー４７０の両側部には、裏面側に突出する支持部４７１が設けられている。支持部４７１には、外側に向けて突出した軸部４７１Ｐが設けられている。一方、フレーム４８０には、これら軸部４７１Ｐに対応して凹状の軸受け部４８０Ｃが設けられている。支持部４７１は、軸部４７１Ｐの周囲を肉抜きすることより、軸部４７１Ｐを弾性的に支持している。従って、温風ダンパー４７０をフレーム４８０の前方から押し込むことにより、いわゆるスナップフィット方式にて、軸部４７１Ｐを軸受け部４８０Ｃに嵌入させることができる。図１６（ｅ）は、温風ダンパー４７０をフレーム４８０に取り付けた状態における軸部４７１Ｐと軸受け部４８０Ｃの断面図である。軸部４７１Ｐのまわりを肉抜きして大きな弾性変形を容易としたことにより、軸部４７１Ｐの高さを高くしてもスナップフィットによる軸受け部４８０Ｃへの嵌入が容易となり、しかも、嵌入後は、軸受け部４８０に軸部４７１Ｐが深く入りこむので、結合が外れにくい構造を実現できる。
【００４４】
図１７は、温風ダンパー４７０と第２レバー４７４との結合部を表す模式図である。すなわち、同図は、これらの要素を下方から眺めた模式図である。  
モータ４７２からの駆動力を伝達する第２レバー４７４の先端に設けられた保持部４７５は、第２レバー４７４の移動方向Ａに対してほぼ垂直な方向に延在している。一方、温風ダンパー４７０に設けられたリンク軸４７６は、図１７（ａ）に表したように温風ダンパー４７０が閉じた状態においては、保持部４７５に対してほぼ平行である。しかし、図１７（ｂ）に表したように温風ダンパー４７０が開いた状態においては、リンク軸４７６は、保持部４７５に対して平行ではなく、傾いてねじれた配置関係にある。これは、本体部４００の湾曲凹面４０２（図２、図３参照）に沿って温風ダンパー４７０を開閉させるために、温風ダンパー４７０の回転軸Ｃが、第２レバー４７４の移動方向Ａ及びＢに対して、非垂直すなわち垂直ではなく傾斜して設けられているからである。
【００４５】
従って、温風ダンパー４７０の開閉動作を円滑に行うためには、温風ダンパー４７０と第２レバー４７４との結合部に非対称な部分を設ける必要がある。本具体例の場合には、図１７（ｂ）に表したように温風ダンパー４７０を開いた状態において、保持部４７５がリンク軸４７６の「ねじれ」を吸収するように形成する必要がある。これに対して、本具体例においては、保持部４７５の開口形状を非対称に形成している。
【００４６】
図１８は、第２レバー４７４の保持部４７５を拡大して表す模式図である。  
保持部４７５の幅は、その延在方向Ｌに対して一定ではなく、端部寄り（吐水ノズルから遠い側）の幅Ｗ１よりも、中央寄り（吐水ノズルに近い側）の幅Ｗ２のほうが大きい。このように保持部４７５の幅を変化させることにより、図１７（ｂ）に表したようにリンク軸４７６の方向がねじれた場合にも、この「ねじれ」を吸収できる。その結果として、図１７（ａ）に表したように第２レバー４７４を矢印Ａの方向に引いて温風ダンパー４７０を開く時も、その逆に図１７（ｂ）に表したように第２レバー４７４を矢印Ｂの方向に押して温風ダンパー４７０を閉じる時も、リンク軸４７６を円滑に回転させ、スムーズに開閉動作させることができる。このようにして、温風ダンパー４７０を開く第２レバー４７４の移動方向を、吐水ノズルの進退方向と一致させることができ、本体部４００内にデッドスペースを生じないようにすることができる。
【００４７】
次に、温風ダンパー４７０およびノズルダンパー４６０の取付部の構造について説明する。  
図１９は、温風ダンパー４７０およびノズルダンパー４６０の取付部を表す模式図である。  
前述したように、温風ダンパー４７０およびノズルダンパー４６０は、フレーム４８０に取り付けられ、ケースカバー４３０に固定される。つまり、温風ダンパー４７０とノズルダンパー４６０は、ケースプレート７７０の側ではなく、ケースカバー４３０の側に支持される。仮に、温風ダンパー４７０およびノズルダンパー４６０をケースプレート７７０の側に支持した場合には、ケースプレート７７０とケースカバー４３０との取付位置の誤差により、温風ダンパー４７０およびノズルダンパー４６０がケースカバー４３０の湾曲凹面４０２からずれて凹凸が生じやすくなる。
【００４８】
これに対して、本実施形態においては、温風ダンパー４７０およびノズルダンパー４６０をケースカバー４３０の側に支持することにより、温風ダンパー４７０およびノズルダンパー４６０と、ケースカバー４３０と、の相対的な取付位置精度をより高くできる。その結果として、温風ダンパー４７０およびノズルダンパー４６０がずれることなくケースカバー４３０の湾曲凹面４０２と一体的に取り付けることができ、連続的で滑らかな湾曲凹面４０２を実現できる。
【００４９】
また一方、温風ダンパー４７０およびノズルダンパー４６０を同じフレーム４８０に取り付けることにより、これら温風ダンパー４７０およびノズルダンパー４６０の位置合わせが容易となり、また組立も簡単になる。例えば、ケースカバー４３０は、衛生洗浄装置の筐体を構成するために、強度の高い樹脂により形成することが望ましい。しかし、そのような樹脂の場合、成型性が十分に高くないこともあり得る。つまり、成形時の変型などが無視できず、温風ダンパー４７０やノズルダンパー４６０を精度よく取り付けるための精密な構造を形成することが容易でない場合もあり得る。
【００５０】
これに対して、フレーム４８０は筐体を構成しないので、ケースカバー４３０よりも強度が低くてもよく、それだけ成形性に優れた樹脂で形成することができる。つまり、温風ダンパー４７０やノズルダンパー４６０を高い精度で取り付けるための、精密な構造を正確に形成することが容易となる。また、フレーム４８０をケースカバー４３０に固定する際に、取付位置を調整することは比較的容易である。このように、好適な材料によりフレーム４８０を形成し、このフレーム４８０を介して温風ダンパー４７０およびノズルダンパー４６０をケースカバー４３０に固定することにより、高い取付精度が容易に得られる。その結果として、滑らかで連続的な湾曲凹面４０２を実現できる。
【００５１】
図２０乃至図２４は、フレーム４８０をケースカバー４３０に取り付けるまでの組立工程を表す工程図である。  
まず、図２０（ａ）に表したように、フレーム４８０にスプリング４８１を仮置きする。そして、図２０（ｂ）に表したように、軸体４８２をフレーム４８０及びスプリング４８１に差し込む。
【００５２】
その後、図２１（ａ）及び（ｂ）に表したように、軸体４８２の基端部４８２Ｃを回転させ、フレーム４８０の固定溝４８０Ｆに押し込む。ここでも、スナップフィット方式により基端部４８２Ｃを固定溝４８０Ｆに嵌入し固定することができる。なお、図２１（ｃ）は、図２１（ｂ）の矢印Ａの方向からみた基端部４８２Ｃの部分の拡大図である。
【００５３】
しかる後に、図２２に表したように、ノズルダンパー４６０をフレーム４８０に取り付ける。図２３は、ノズルダンパー４６０の取付部を図２２の矢印Ａの方向から眺めた拡大断面図である。  
ノズルダンパー４６０は、その背面の上部に、略Ｓ字状に屈曲した取付部４６１を有する。取付部４６１の屈曲部には、取付溝４６２が形成されている。そして、この取付部４６１の先端がスプリング４８１の端部を押さえ込むように、ノズルダンパー４６０を矢印Ａの方向に圧入する。すると、図２３（ａ）乃至（ｃ）に表したように、取付部４６１の先端がスプリング４８１の付勢力に対抗してその先端を押さえ込みながら前進し、軸体４８２が取付溝４６２に挿入される。ここでも、スナップフィット方式により軸体４８２を取付溝４６２に固定できる。
【００５４】
図２３（ｃ）に表したように、ノズルダンパー４６０をフレーム４８０に取り付けた状態においては、スプリング４８１の付勢力により、ノズルダンパー４６０には矢印Ｂの方向に閉じる力が作用している。このようにして、ノズルダンパー４６０を閉じた状態に付勢することができる。
【００５５】
ノズルダンパー４６０を取り付けたら、図２４に表したように、ねじ４８３などを用いてフレーム４８０をケースカバー４３０に固定する。この時、例えば、ネジ４８３をフレーム４８０に通すネジ穴をやや大きく形成しておくと、ケースカバー４３０に対するフレーム４８０の取付位置を微調整でき、温風ダンパー４７０およびノズルダンパー４６０を湾曲凹面４０２に一体的に取り付けることがさらに容易となる。  
この後、図１３乃至図１６に関して前述したように、ケースカバー４３０をケースプレート７７０に取り付けて、第２レバー４７４に結合された状態の温風ダンパー４７０をフレーム４８０に装着する。
【００５６】
以上説明したように、温風ダンパー４７０およびノズルダンパー４６０をフレーム４８０を介してケースカバー４３０に固定する構造とすると、高い取り付け精度が得られ組立も容易となる。
【００５７】
次に、温風ダンパー４７０とノズルダンパー４６０との干渉について説明する。  
図２５及び図２６は、温風ダンパー４７０とノズルダンパー４６０と干渉を説明するための模式図である。  
ノズルダンパー４６０と温風ダンパー４７０とは、いずれも湾曲凹面４０２に沿って設けられているので、それらの回転軸は平行ではない。また、これらのダンパー４６０、４７０は隣接して設けられている。従って、これらのダンパー４６０、４７０が両方とも開くと、干渉することがある。このため、これらダンパー４６０、４７０の開閉の際には、所定の制御をする必要がある。
【００５８】
ここで、温風ダンパー４７０は、前述の如くモータ４７２により電動開閉される。一方、ノズルダンパー４６０は、スプリング４８１の付勢力により通常は閉じた状態に維持され、吐水ノズルが進出するとこれに押されて開く。従って、ノズルダンパー４６０と温風ダンパー４７０の開閉のタイミングによっては、両方が同時に開いてもよい場合がある。
【００５９】
図２５に表した具体例の場合、ノズルヘッド６１１、第１のシリンダ部６１２及び第２のシリンダ部６１３からなる３段式の吐水ノズルが進出することにより、ノズルダンパー４６０が開いている。そして、このようにノズルダンパー４６０が開いた後に、モータ４７２により温風ダンパー４７０が開いている。温風ダンパー４７０が完全に開いた状態においては、その先端がノズルダンパー４６０に当接し、スプリング４８１の付勢力に対抗してノズルダンパー４６０をさらに持ち上げる。この時、温風ダンパー４７０とノズルダンパー４６０との間には、スプリング４８１の付勢力が作用しているだけであるので、これらダンパー４６０、４７０に傷が付いたり破損することはなく、引っかかる心配もない。
【００６０】
また、図２５に表した状態においては、ノズルダンパー４６０は吐水ノズルから持ち上げられ離間している。従って、図２６に表したように、吐水ノズルを後退させ本体部４００に収納しても、ノズルダンパー４６０は温風ダンパー４７０に当接し開いた状態を維持する。つまり、ノズルダンパー４６０が温風ダンパー４７０よりも先に開き始めた場合には、これらダンパー４６０、４７０が互いに干渉しても強い力は作用しないので、傷がついたり、引っかかって動かなくなったり、破損や故障などが生ずることはない。
【００６１】
なお、図２５及び図２６に表した状態とは逆に、温風ダンパー４７０が開いた状態で吐水ノズルが進出することによりノズルダンパー４６０が開くと、これらダンパー４６０、４７０が干渉して互いに強い力が作用することがある。このため、温風ダンパー４７０が開いた状態でノズルダンパー４６０が開かないように制御することが望ましい。
【００６２】
以上、本実施形態における温風ダンパー４７０の開閉機構及びノズルダンパー４６０について説明した。  
次に、本実施形態のトイレ装置の内部構造について具体例を参照しつつさらに詳細に説明する。
【００６３】
図２７は、本体部４００の内部を前方から眺めた斜視図である。  
本体部４００は、前述したように、筐体を構成するケースカバー４３０とケースプレート７７０とを有する。ケースカバー４３０の上面には、人体検知センサ５００や表示部６７０が適宜設けられている。表示部６７０は、例えばトイレ装置に対する電源の投入状態などを適宜表示する役割を有する。また、ケースカバー４３０の前部の上部には、便座２００を自動開閉させるための電動開閉ユニット７８０が突出して設けられている。
【００６４】
一方、ケースカバー４３０の内部をみると、その前方には、ノズルユニット６１０、温風乾燥ユニット６２０、脱臭ユニット６３０、が併設されている。なお、図６、図１２及び図１３などに表したように、温風ダンパー４７０を駆動するモータ４７２は、ノズルユニット６１０の下に設置されている。このようにすると、ノズルユニット６１０の下のスペースを有効に利用でき、また温風ダンパー４７０の近くから駆動力を伝達できる。
【００６５】
ノズルユニット６１０は、図５に関して前述したように、進退自在の吐水ノズルを有し、便座２００に座った使用者の「おしり」などに水を噴射して洗浄する役割を有する。脱臭ユニット６３０は、便器８００のボウル８１０内の空気を吸引し、脱臭して排気口４４０から排出する役割を有する。
【００６６】
また、ケースカバー４３０の内部の前部上方にはＡＣ（交流）コントローラ６４０が設けられ、その後部には、バルブユニット６５０と熱交換ユニット６６０が設けられている。バルブユニット６５０から熱交換ユニット６６０に供給された水が加熱され、ノズルユニット６１０に併設されたポンプユニットで水に脈動を付与し、吐水ノズルにこの脈動水を供給する。
【００６７】
また、ケースカバー４３０の側面には、補助操作ユニット（図示せず）が適宜設けられている。補助操作ユニットは、ノズルユニット６１０による「おしり」の洗浄などを操作するスイッチが設けられ、例えば、リモコン（図示せず）による操作が不可能な状態においても衛生洗浄機能の動作を制御可能としたものである。
【００６８】
一方、ケースカバー４３０の内部の後部には、電動開閉ユニット７２０と便器洗浄バルブユニット７３０とが併設されている。電動開閉ユニット７２０は、便蓋３００を開閉する役割を有する。便器洗浄バルブユニット７３０は、便器８００に流す洗浄水の供給を制御する役割を有する。すなわち、本具体例のトイレ装置は、いわゆる「水道直結給水式」の構造を有し、ロータンクなどを設けずに、水道から供給される水を便器洗浄バルブユニット７３０を介して便器８００に供給して洗浄を実施する。ただし、本発明はこれには限定されず、ロータンク式のトイレに取付可能な衛生洗浄装置も包含する。
【００６９】
一方、ケースカバー４３０の内部の最後部には、室内暖房ユニット７４０が設けられている。室内暖房ユニット７４０は、温風を排出口４５０（図２参照）から排出することによりトイレ装置が設置されたトイレ空間を暖房する役割を有する。  
このような各種の機構を備えた本体部４００に、図１〜図２６に関して前述した温風ダンパー４７０及びその開閉機構が設けられている。
【００７０】
次に、本実施形態において、本体部４００の前面を後方に後退させて湾曲凹面４０２とした効果について説明する。  
図２８は、本実施形態のトイレ装置から便座２００と便蓋３００を外して前方から眺めた斜視図である。  
また、図２９は、比較例のトイレ装置を前方から眺めた斜視図である。なお、図２８及び図２９は、便器８００の前にしゃがんだ状態で便器を清掃する使用者の目線からみたボウル８１０の眺めを表し、具体的には、便器８００の前端からおよそ１００ミリメータ離れ、床面から約１０００ミリメータの高さから眺めたボウル８１０の外観を表す。
【００７１】
また、図３０は、本実施形態のトイレ装置の断面図であり、
図３１は、比較例のトイレ装置の断面図である。図３０及び図３１は、便器８００の前にしゃがんだ状態で便器を清掃する使用者の目線からみえる範囲を説明するための模式図である。
【００７２】
まず比較例について説明すると、図２９及び図３１に表した比較例においては、本体部４００は便器８００のボウル８１０の上に延出し、破線で表した領域４００Ｐがボウル８１０の開口の後方部分を塞いでいる。しかし、このように本体部４００がボウル８１０の上にはみだしていると、男性の立位の小用の際に小水が本体部４００にかかりやすくなる。また、このように本体部４００がボウル８１０の上にはみだしていると、ボウル８１０の有効開口面積が狭められるため、立位で小用をする男性に対して狭窄感を与える。また、このようにはみだした領域４００Ｐの裏面側にも汚れが付着しやすく、その清掃性の点でも改善の余地がある。
【００７３】
さらには、このように本体部４００がボウル８１０の上にはみだしていると、ボウル８１０の後方上部に汚れが付着しても見えず、且つ、その部位の清掃がしにくくかった。すなわち、図２９に表した比較例の場合、使用者が便器８００の前にしゃがんだ状態においても、ボウル８１０の上端のリム部８２０は、本体部のはみ出し領域４００Ｐの陰に隠れて見えない。このため、使用者が領域４００Ｐの下のリム部８２０を掃除するためには、さらにかがんだ姿勢で覗き込むようにしなければならない。  
これに対して、本実施形態においては、図２８及び図３０に表したように、本体部４００の前面を後退させて湾曲凹面４０２を形成することにより、男性の立位での小用の際にも小水がかかりにくくなり、使用者に対して視覚的な狭窄感を与えることもない。また、図４に関して前述したように、湾曲凹面４０２の中央付近を高くすることにより、男性の立位の小用に際して本体部４００に小水がかかったとしても、湾曲凹面４０２の中央付近の背の高い部分で小水を受けてボウル８１０に落下させることができる。つまり、小水が本体部４００の傾斜面４０８などにかかることを抑制でき、小水による汚れを可及的に減らすことができる。
【００７４】
そして、このように本体部４００を後退させることにより、本体部４００の裏面への汚れの付着も抑制でき、清掃性も格段に改善できる。すなわち、本実施形態によれば、図３０に表したように、便器８００の前にしゃがんだ使用者の視線からみて、ボウル８１０の後端のリム部８２０の上端付近まで見える。従って、使用者は、その姿勢のまま雑巾やブラシなどを用いてボウル８１０の後端まで清掃し、汚れが落ちてきれいになったことを確実且つ容易に確認できる。また、本実施形態においては、本体部４００のボウル８１０の上への突出量が抑制されているので、その突出部の裏側に付着した汚れなどを清掃することも容易である。例えば、雑巾などで清掃する際にも、使用者が本体部４００の裏側に雑巾をあてがった状態で、左右にサッと拭き取ることができる。
【００７５】
図３２は、本実施形態における湾曲凹面４０２とボウル８１０との関係を説明するための模式平面図である。  
同図に表したように、本体部の湾曲凹面４０２は、ボウル８１０の開口形状にほぼ沿った形態を保ちつつ、湾曲凹面４０２のほぼ全体がボウル８１０の開口端よりもボウル８１０の側にわずかに突出している。湾曲凹面４０２の左右前端でのボウル８１０への突出量をａ、ｂとし、中央付近でのボウル８１０への突出量をｃとすると、ａ及びｂは相対的に小さく、ｃは相対的に大きくすることができる。このようにすれば、ボウル８１０の開口形状と略連続させてボウル８１０のほとんどを露出させつつ、本体部４００とボウル８１０の開口端との隙間への小水などの侵入を効果的に防止できる。これは、男性の立位の小用の際には、小水は主に中央付近に向けられるからであり、さらに本体部４００とボウル８１０の開口端との隙間が湾曲凹面４０２で覆われるため、その隙間に小水が直接かからないからである。また、このようにすると、排水及び脱臭のためのスペース（突出部）を確保することも容易となる。
【００７６】
具体的には、例えば、ａ及びｂは概ね数ミリメータ乃至１０ミリメータ程度で、ｃは概ね１０ミリメータ乃至１０数ミリメータ程度とすることができる。このように湾曲凹面４０２をわずかに突出させれば、小水の侵入を可及的に抑制できる。またさらに、本体部４００からボウル８１０への排水を確保し、さらに脱臭機能のための脱臭吸気口を確保することもできる。
【００７７】
また、本体部４００のボウル８１０への突出部の突出量をこのように制限することにより、例えば使用者の手指の先端から第１関節までの範囲で、雑巾を本体部４００の裏側にまんべんなくあてがうことも可能となる。つまり、使用者は、手指の第１関節を軽く曲げた状態のまま、手指の先端に雑巾をあてがって、本体部４００の湾曲凹面４０２に沿って左右に雑巾をサッと滑らすことにより、本体部４００の裏側と、これに隣接するリム部８２０の上端部を確実に清掃することが可能となる。湾曲凹面４０２はボウル８１０と略連続した曲面を構成しているので、雑巾がひっかかることもなく、スムーズ且つ確実に清掃できる。
【００７８】
そして、本実施形態によれば、このように本体部４００の前面を後退させて湾曲凹面４０２を形成し、その中央付近に電動開閉式の温風ダンパー４７０を設けることにより、高さ方向の寸法が大きい温風の吹出口を確実に開閉でき、かつ使用者の「おしり」に温風を確実に届かせることができる。
【００７９】
以上、具体例を参照しつつ、本発明の実施の形態について説明した。しかし、本発明は、これらの具体例に限定されるものではない。例えば、本発明の衛生洗浄装置及びトイレ装置に含まれる、吐水ノズル、脱臭装置、温風乾燥装置、着座センサ、筺体、リモコン、腰掛便器などの各要素については、当業者が適宜設計変更することにより本発明を同様に実施し、同様の効果を得ることができるものも本発明の要旨を含む限り、本発明の範囲に包含される。その他、衛生洗浄装置や便器を構成する各要素について変更を加えたものであっても、本発明の要旨を備える限りにおいて、本発明の範囲に包含される。
【００８０】
また、本発明のトイレ装置は、「ロータンク式」のものでもよく、または、水道からの水を便器に直接給水し洗浄する「水道直結給水式」のものでもよい。  
また、図１乃至図３２に関して前述した特徴部分は、技術的な可能な範囲においていかようにも組合せることができ、これら組合せにより得られた衛生洗浄装置及びトイレ装置についても、本発明の要旨を含む限りにおいて本発明の範囲に包含される。
【００８１】
その他、本発明の実施の形態として上述した衛生洗浄装置及びトイレ装置を基にして、当業者が適宜設計変更して実施しうるすべての衛生洗浄装置及びトイレ装置も同様に本発明の範囲に属する。
【図面の簡単な説明】
【００８２】
【図１】本実施形態にかかる衛生洗浄装置の一部拡大模式断面図である。
【図２】本発明の実施の形態にかかるトイレ装置の外観を表す模式斜視図である。
【図３】トイレ装置の便座２００と便蓋３００を開いた状態を表す。
【図４】本体部４００の中央部を正面から眺めた模式図である。
【図５】ノズルダンパー４６０及び温風ダンパー４７０の開閉状態を表す模式図である。
【図６】温風ダンパー４７０の駆動機構を表す斜視組立図である。
【図７】温風ダンパー４７０及びモータ４７２の取付部を表す模式図である。
【図８】温風の吹出口の形状を例示する模式図であり、（ａ）は本実施形態における吹出口６２２を例示し、（ｂ）は比較例の吹出口６２２を例示する。
【図９】吹出口６２２から放出される温風の方向を表す模式図である。
【図１０】（ａ）は本実施形態、（ｂ）は比較例の衛生洗浄装置の温風乾燥ユニットから放出される温風Ｈの分布を正面（前方）から眺めた模式図である。
【図１１】温風ダンパー４７０の開閉機構の組立手順を例示する模式図である。
【図１２】温風ダンパー４７０の開閉機構の組立手順を例示する模式図である。
【図１３】温風ダンパー４７０の開閉機構の組立手順を例示する模式図である。
【図１４】温風ダンパー４７０をフレーム４８０に取り付ける様子を表す模式断面図である。
【図１５】温風ダンパー４７０をフレーム４８０に取り付ける様子を表す模式断面図である。
【図１６】ノズルユニット６１０を取り付けた状態で正面から眺めた模式斜視図である。
【図１７】温風ダンパー４７０と第２レバー４７４との結合部を表す模式図である。
【図１８】第２レバー４７４の保持部４７５を拡大して表す模式図である。
【図１９】温風ダンパー４７０およびノズルダンパー４６０の取付部を表す模式図である。
【図２０】フレーム４８０をケースカバー４３０に取り付けるまでの組立工程を表す工程図である。
【図２１】フレーム４８０をケースカバー４３０に取り付けるまでの組立工程を表す工程図である。
【図２２】フレーム４８０をケースカバー４３０に取り付けるまでの組立工程を表す工程図である。
【図２３】フレーム４８０をケースカバー４３０に取り付けるまでの組立工程を表す工程図である。
【図２４】フレーム４８０をケースカバー４３０に取り付けるまでの組立工程を表す工程図である。
【図２５】温風ダンパー４７０とノズルダンパー４６０と干渉を説明するための模式図である。
【図２６】温風ダンパー４７０とノズルダンパー４６０と干渉を説明するための模式図である。
【図２７】本体部４００の内部を前方から眺めた斜視図である。
【図２８】本実施形態のトイレ装置から便座２００と便蓋３００を外して前方から眺めた斜視図である。
【図２９】比較例のトイレ装置を前方から眺めた斜視図である。
【図３０】本実施形態のトイレ装置の断面図である。
【図３１】比較例のトイレ装置の断面図である。
【図３２】本実施形態における湾曲凹面４０２とボウル８１０との関係を説明するための模式平面図である。
【符号の説明】
【００８３】
１００ 衛生洗浄装置、２００ 便座、３００ 便蓋、３１０ 透過窓、４００ 本体部、４０２ 湾曲凹面、４０４ 延出部、４０８ 傾斜面、４１０ 凹設部、４２０ 着座センサ、４３０ ケースカバー、４４０ 排気口、４５０ 排出口、４６０ ノズルダンパー、４６１ 取付部、４６２ 取付溝、４７０ 温風ダンパー、４７１ 支持部、４７１Ｐ 軸部、４７２ モータ、４７３ 第１レバー、４７４ 第２レバー、４７５ 保持部、４７６ リンク軸、４８０ フレーム、４８０ 部、４８０Ｃ 軸受け部、４８０Ｆ 固定溝、４８１ スプリング、４８２ 軸体、４８２Ｃ 基端部、４８３ ネジ、４９０ 取付台、５００ 人体検知センサ、６１１ ノズルヘッド、６１０ ノズルユニット、６１２、６１３ シリンダ部、６１６ 噴射孔、６１７ ノズル洗浄室、６２０ 温風乾燥ユニット、６２２ 吹出口、６３０ 脱臭ユニット、６４０ コントローラ、６５０ バルブユニット、６６０ 熱交換ユニット、６７０ 表示部、７２０ 電動開閉ユニット、７３０ 便器洗浄バルブユニット、７４０ 室内暖房ユニット、７７０ ケースプレート、７７０Ｄ 収容部、７８０ 電動開閉ユニット、７９２ 傾斜部、７９２Ａ 前面、７９２Ｂ 斜面、７９３ 壁状部、７９４ 溝、７９４Ｃ 開口端、８００ 便器、８００ 洋式腰掛便器、８１０ ボウル、８２０ リム部
【図１】
2007321443.tif 000003
【図２】
2007321443.tif 000004
【図３】
2007321443.tif 000005
【図４】
2007321443.tif 000006
【図５】
2007321443.tif 000007
【図６】
2007321443.tif 000008
【図７】
2007321443.tif 000009
【図８】
2007321443.tif 000010
【図９】
2007321443.tif 000011
【図１１】
2007321443.tif 000012
【図１２】
2007321443.tif 000013
【図１３】
2007321443.tif 000014
【図１４】
2007321443.tif 000015
【図１５】
2007321443.tif 000016
【図１６】
2007321443.tif 000017
【図１７】
2007321443.tif 000018
【図１８】
2007321443.tif 000019
【図１９】
2007321443.tif 000020
【図２０】
2007321443.tif 000021
【図２１】
2007321443.tif 000022
【図２２】
2007321443.tif 000023
【図２３】
2007321443.tif 000024
【図２４】
2007321443.tif 000025
【図２５】
2007321443.tif 000026
【図２６】
2007321443.tif 000027
【図２７】
2007321443.tif 000028
【図２８】
2007321443.tif 000029
【図２９】
2007321443.tif 000030
【図３０】
2007321443.tif 000031
【図３１】
2007321443.tif 000032
【図３２】
2007321443.tif 000033
【図１０】
2007321443.tif 000034